(57)【要約】【課題】特異な意匠効果を発揮すると同時に、脱臭機能を備えている和紙部材とその製造方法を提供する。【解決手段】２層の紙層１，２が互いの繊維を絡み合わせて重ね合わされている和紙部材Ａであって、紙層１，２の間には、炭化前の形状を留めている炭素質材（竹炭）３が分散配置して挟み込まれている和紙部材Ａであり、これは、第１の紙料液を流漉して第１の紙層１を抄造し、第１の紙層の上に、炭化前の形状を留めている炭素質材３を部分的に埋め込んだ状態で分散配置し、ついで、第２の紙料液を流漉して炭素質材３を被包する第２の紙層２を抄造したのち、圧搾脱水して製造される。【選択図】      図１
2004162211.tif 000002
【特許請求の範囲】
【請求項１】
２層の紙層が互いの繊維を絡み合わせて重ね合わされている和紙部材であって、
前記紙層の間には、炭化前の形状を留めている炭素質材が分散配置して挟み込まれていることを特徴とする和紙部材。
【請求項２】
前記炭素質材が竹炭である請求項１の和紙部材。
【請求項３】
第１の紙料液を流漉して第１の紙層を抄造し、前記第１の紙層の上に、炭化前の形状を留めている炭素質材を部分的に埋め込んだ状態で分散配置し、ついで、第２の紙料液を流漉して前記炭素質材を被包する第２の紙層を抄造したのち、圧搾脱水することを特徴とする和紙部材の製造方法。
【発明の詳細な説明】
【０００１】
【発明の属する技術分野】
本発明は和紙部材とその製造方法に関し、更に詳しくは、特異な意匠効果を発揮し、また脱臭機能も備えている和紙部材と、それを製造する方法に関する。
【０００２】
【従来の技術】
和紙は細い植物繊維が絡み合った素材であり、通常、その表面は絡み合う植物繊維による微妙な凹凸を含んでいるが、全体としては平面になっていて淡い黄白色を呈している。
そして、和紙は柔らかい触感、独特の色感を備え、強靱で、変質もしにくく、長期保存性も優れていて、例えば障子、襖などに用いられてきたが、最近では、壁紙やランプシェードのような室内インテリア部材などにも使用されている。
【０００３】
そして、室内インテリア部材として使用する和紙の場合、紙料液に各種の模様材を混入し、それを抄造して様々な意匠効果を発揮させることが行われている。
【０００４】
【発明が解決しようとする課題】
本発明は、和紙が備える上記した性状を生かしつつ、それに加えて特異な意匠効果を発揮し、同時に脱臭機能も備えていて、室内インテリア部材として好適な和紙部材とその製造方法の提供を目的とする。
【０００５】
【課題を解決するための手段】
上記した目的を達成するために、本発明においては、２層の紙層が互いの繊維を絡み合わせて重ね合わされている和紙部材であって、
前記紙層の間には、炭化前の形状を留めている炭素質材が分散配置して挟み込まれていることを特徴とする和紙部材が提供される。
【０００６】
また、本発明においては、第１の紙料液を流漉して第１の紙層を抄造し、前記第１の紙層の上に、炭化前の形状を留めている炭素質材を部分的に埋め込んだ状態で分散配置し、ついで、第２の紙料液を流漉して前記炭素質材を被包する第２の紙層を抄造したのち、圧搾脱水することを特徴とする和紙部材の製造方法が提供される。
【０００７】
【発明の実施の形態】
本発明の和紙部材の１例Ａを図１に示す。また図１のＩＩ−ＩＩ線に沿う断面図を図２に示す。
図において、和紙部材Ａは、２層の紙層１，２が重ね合わされた構造になっていて、紙層１と紙層２の間には、後述する炭素質材３が挟み込まれている。この炭素質材３は、図１で示したように、和紙部材Ａの面内において分散した状態で配置され、全体としては紙層を通して視認される黒色模様を構成している。
【０００８】
炭素質材３としては、各種の植物、好適には竹材枝葉部の炭化品、すなわち竹炭が用いられる。
このような竹炭は、竹材の枝葉部を適度に乾燥したのち、例えば黒炭製造用の土窯またはＮ２ガスを流す非酸化性雰囲気の加熱炉に入れ、緩徐な昇温速度で有機質物の熱分解を進め、最終的には８００℃近辺の温度にまで昇温することによって製造することができる。
【０００９】
この過程で、竹材を構成する有機質物の熱分解により、炭素の骨格と熱分解ガスの抜け道が微細空孔として残り、ここに、原形を留めた状態で竹材は炭化して多孔質の炭素質材になる。なお、このときの雰囲気が酸化性雰囲気であると竹材は灰化してしまい、また昇温速度が速い場合には、炭化品に亀裂などが発生して竹材の原形を留めなくなる。
【００１０】
得られた竹炭は、内部に微細な空孔を有する３次元網状構造の多孔質材になっている。そのため、炭化温度によっても異なるが、竹炭は例えば臭気や水分に対する吸着機能を備えている。
したがって、この和紙部材Ａを、例えば室内インテリア部材として用いた場合には、室内に漂う臭気を紙層を介して炭素質材３が吸着するので、室内の快適化に貢献するという効果を発揮する。
【００１１】
また、この和紙部材Ａは、例えば図２からも明らかなように、紙層１，２の厚みにもよるが、竹炭（炭素質材）３の外形が表面に可成りはっきりと現れている。そして、竹炭３を備えない通常の和紙の表面が平らな面であることに比べれば、竹炭３が配置されている個所の表面の凹凸は激しい。更に、その外形は、紙層を介して淡い黒色模様として視認される。
【００１２】
また、この和紙部材Ａの表面に斜め方向から照明を当てると、竹炭の凹凸部分は明瞭な陰影部となって浮き出し、特異な意匠効果が得られる。
この和紙部材Ａは次のようにして製造することができる。それを以下に説明する。
まず、こうぞ（楮）、みつまた（三椏）、がんび（雁皮）などを蒸煮したのちその皮（靱比）を剥ぎ取り、炭酸ナトリウムまたは水酸化ナトリウムで煮る。灰汁抜き後、水酸化ナトリウムで煮た楮は高度晒粉で漂白し、除塵する。
【００１３】
ついで、処理後の皮を叩解して靱皮繊維を軟らかくして紙料とし、これに水と、例えばトロロアオイやノリウツギなどから製造した植物粘質物であるねりとを添加し、全体を均一に分散して紙料液を調製する。
そして、漉舟の中の紙料液を、その一部を簀桁ですくい上げ、簀桁を前後左右に揺り動かして水を濾過し、所望の厚みの第１の紙層を形成し、残余の紙料液は簀桁から漉舟に戻す。
【００１４】
そして、ただちに、用意しておいた竹炭を、第１の紙層の上に分散配置する。竹炭を配置するに際しては、竹炭を第１の紙層の上に軽く置く。
ついで、再び流漉を行い、竹炭を第２の紙料液で被包する。この第２の試料液中の靱皮繊維は、相互に絡み合いながら竹炭を覆うと同時に、第１の紙層の靱皮繊維とも絡み合って、第２の紙層を形成して紙床を構成する。
【００１５】
したがって、得られた紙床における第１の紙層と第２の紙層の間では画然として界面が存在することなく、その界面は両紙層の繊維が混然と絡み合った状態で形成され、各紙層は互いに剥離することなく、竹炭をしっかりと挟み込む。
そして、この紙床を重ね合わせ、圧搾脱水したのち、１枚ずつ剥ぎ取り、張り板に張って乾燥することにより本発明の和紙部材が得られる。
【００１６】
【発明の効果】
以上の説明で明らかなように、本発明の和紙部材は、紙層の間に炭化前の形状を留めた炭素質材（竹炭）が挟み込まれているので、特異な意匠効果を発揮するとともに、脱臭機能も備えており、例えば、障子紙、壁紙、ランチョンマットなど、室内インテリア部材として有用である。
【図面の簡単な説明】
【図１】本発明の和紙部材の１例Ａを示す平面図である。
【図２】図１のＩＩ−ＩＩ線に沿う断面図である。
【符号の説明】
Ａ  和紙部材
１  第１の紙層
２  第２の紙層
３  炭素質材（竹炭）
【図１】
2004162211.tif 000003
【図２】
2004162211.tif 000004